(57)【要約】      （修正有）【課題】データの交信を行う機器に対し、送受信可能な位置に、データの記憶と送信の少なくとも一方が可能なデータキャリア部材を簡単に配置でき、しかも、その姿勢を簡単に変えることができるデータキャリアシートを提供する。【解決手段】被着体に貼付するデータキャリアシートは、所定のデータの記憶と送信の少なくとも一方が可能なデータキャリア部材１と、データキャリア部材１を保持する保持部２と、少なくとも一方の面に被着体への貼付を可能とする接着剤層ＡＤを有する貼付部３とを備える。貼付部３は、保持部２の一辺から外方に向けて延出するように設けられている。【選択図】図１
2013156724.tif 000002
【特許請求の範囲】
【請求項１】
被着体に貼付するデータキャリアシートであって、
所定のデータの記憶と送信の少なくとも一方が可能なデータキャリア部材と、前記データキャリア部材を保持する保持部と、少なくとも一方の面に被着体への貼付を可能とする接着剤層を有する貼付部とを備え、
前記貼付部は、前記保持部の一辺から外方に向けて延出するように設けられていることを特徴とするデータキャリアシート。
【請求項２】
前記保持部と前記貼付部との境界部に設けられ、保持部を貼付部に対して折り曲げ易くする第１の折り曲げ促進部を備えることを特徴とする請求項１記載のデータキャリアシート。
【請求項３】
前記貼付部の所定位置かつ当該貼付部の延出方向と交差する方向に設けられ、当該貼付部の一部を折り曲げ易くする第２の折り曲げ促進部を更に備えることを特徴とする請求項２記載のデータキャリアシート。
【請求項４】
前記貼付部は被着面の形状に追従する追従促進部を備えることを特徴とする請求項１〜３のいずれか１項に記載のデータキャリアシート。
【請求項５】
前記保持部が前記貼付部または貼付部の一部から破断することを防止する補強シート部が設けられていることを特徴とすることを請求項２〜４のいずれか１項に記載のデータキャリアシート。
【発明の詳細な説明】
【技術分野】
【０００１】
本発明は、被着体に貼付され、所定のデータの記憶と送信の少なくとも一方が可能なデータキャリアシートに関する。
【背景技術】
【０００２】
例えば、剥離シートの一方の面に接着シートやラベルが仮着された帯状のシートを筒状部材に巻回しておき、帯状のシートを連続して繰り出し、半導体ウエハや容器等の被着体の表面に、接着シートやラベルを貼付する貼付装置が知られている。このような貼付装置を帯状のシートの種類に応じて使い分ける場合、帯状のシートの繰り出し速度等の処理に関するデータや帯状のシートの種類（商品名）、ロット番号、使用量、残量等のデータを管理することが生産管理上望ましい。
【０００３】
従来、外表面に帯状のシートが巻回される筒状部材（巻芯）を、巻芯本体と、この巻芯本体の内周面に着脱自在に嵌合されるスリーブとで構成し、スリーブの内面に形成した凹部に、上記データを記憶可能なデータキャリア部材を設けるものが知られている（例えば、特許文献１参照）。このような筒状部材は、使用に際して、その長手方向一端の開口面側から貼付装置の支持軸に外挿され、支持軸が回転駆動されることでシートが一定の速度で繰り出される。
【０００４】
また、データキャリア部材としては、一方の面にＩＣチップを実装した回路用基材シートと、当該回路用基材シートのチップ実装面に貼着された表面基材シートと、その他方の面に貼着された両面粘着テープとで構成されるものが知られている（例えば、特許文献２、図２参照）。
【０００５】
ここで、データキャリア部材が、電磁波を交信媒体として非接触でデータの送受信を行うものである場合、当該データキャリア部材との間でデータ交信する機器であるリーダライタのアンテナコイルからの電磁波が動作する範囲内にデータキャリア部材のアンテナコイルが存在する必要がある。
【０００６】
然しながら、上記特許文献１記載のように、データキャリア部材がスリーブの内面に設けられていると、リーダライタのアンテナコイルを支持軸に設けなければならず、例えば貼付装置等の設計の自由度が狭められてしまうという問題がある。
【先行技術文献】
【特許文献】
【０００７】
【特許文献１】特開２００５−１６２３３５号公報
【特許文献２】特開２００７−１２８０７号公報
【発明の開示】
【発明が解決しようとする課題】
【０００８】
本発明は、データの交信を行う機器に対し、送受信可能な位置にデータの記憶と送信の少なくとも一方が可能なデータキャリア部材を簡単に配置でき、しかも、その姿勢を簡単に変えることができるようにしたデータキャリアシートを提供することをその課題としている。
【課題を解決するための手段】
【０００９】
上記課題を解決するために、被着体に貼付するデータキャリアシートであって、所定のデータの記憶と送信の少なくとも一方が可能なデータキャリア部材と、前記データキャリア部材を保持する保持部と、少なくとも一方の面に被着体への貼付を可能とする接着剤層を有する貼付部とを備え、前記貼付部は、前記保持部の一辺から外方に向けて延出するように設けられていることを特徴とする。
【００１０】
また、本発明において、前記保持部と前記貼付部との境界部に設けられ、保持部を貼付部に対して折り曲げ易くする第１の折り曲げ促進部を備えることが好ましい。更に、前記貼付部の所定位置かつ当該貼付部の延出方向と交差する方向に設けられ、貼付部の一部を折り曲げ易くする第２の折り曲げ促進部を更に備えることが好ましい。また、前記貼付部は被着面の形状に追従する追従促進部を備えることが好ましい。前記保持部が前記貼付部または貼付部の一部から破断することを防止する補強シート部が設けられていてもよい。
【発明の効果】
【００１１】
本発明によれば、貼付部を被着体の所定位置に貼着するだけで、データキャリア部材をデータの交信を行う機器と送受信可能な位置に簡単に配置することができる。また、第１及び第２の両折り曲げ促進部を備えるため、被着体の形状に関わらずデータの交信を行う機器の位置や向きに応じてデータキャリア部材の姿勢を簡単に調整することができる。
【図面の簡単な説明】
【００１２】
【図１】（ａ）は、本発明の実施形態のデータキャリアシートの平面図、（ｂ）はその断面図。
【図２】(ａ)データキャリアシートを筒状部材に貼着した状態を示す断面図、（ｂ）は、データキャリアシートを筒状部材に貼着した他の状態を示す断面図。
【図３】（ａ）〜（ｄ）は、夫々データキャリアシートの変形例を示す平面図。
【図４】データキャリアシートの他の変形例を示す平面図。
【図５】（ａ）は、データキャリアシートの更に他の変形例を示す平面図、（ｂ）は、その断面図、（ｃ）は、当該データキャリアシートを筒状部材に貼着した状態を示す断面図。
【図６】（ａ）は、データキャリアシートの更に他の変形例を示す平面図、（ｂ）は、当該データキャリアシートを筒状部材に貼着した状態を示す断面図。
【発明を実施するための形態】
【００１３】
以下、図１、２を参照して、剥離シートの一方の面に接着シートやラベルが仮着された帯状のシートＲＳが巻回され、この状態でその長手方向一端の開口面側から貼付装置の支持軸ＳＡに外挿される両端開放型の筒状部材ＡＨを被着体とし、この筒状部材ＡＨの内面ＡＨ１に貼着する場合を例に本発明の実施形態のデータキャリアシートＤＳを説明する。尚、本明細書の方向若しくは位置を示す用語は、特に明示しない限り、図１（ａ）を基準とする。
【００１４】
データキャリアシートＤＳは、図１（ｂ）に示すように、所定のデータの記憶と送信の少なくとも一方が可能なデータキャリア部材１と、樹脂や紙などからなる基材シートＢＳと、基材シートＢＳの一方の面に設けられた接着剤層ＡＤと、データキャリア部材１を保護する樹脂シート１１とを備え、データキャリア部材１および樹脂シート１１は、接着剤層ＡＤを介して基材シートＢＳに貼着されている。
【００１５】
基材シートＢＳは、前記データキャリア部材１を保持する保持部２と、少なくとも一方の面に筒状部材ＡＨへの貼付を可能とする接着剤層ＡＤを有する貼付部３とを備え、保持部２は、基材シートＢＳのうちデータキャリア部材１の輪郭に対応した直下に位置する部分で構成され、貼付部３は、基材シートＢＳのうち保持部２から左側に向けて延出する部分で構成されている。
【００１６】
保持部２と貼付部３との境界部ＢＯには、基材シートＢＳを上下に横断する方向に形成されると共に、保持部２を貼付部３に対して折り曲げ易くする第１の折り曲げ促進部４としての溝４１が形成されている。
【００１７】
貼付部３には、被着面の形状すなわち筒状部材ＡＨの内面ＡＨ１に追従する追従促進部５が設けられ、当該追従促進部５は、貼付部３の中央部のみが舌片状に残存するようにその両側に形成された長方形状の切欠き５０により構成される。
【００１８】
データキャリア部材１は、例えば、所定の共振周波数（例えば、１３．５６ＭＨｚ）で動作するＩＣチップ１２とアンテナコイル１３から構成されるＩＣタグ（ＲＦＩＤタグ）を例示することができる。そして、データの交信を行う機器としてのリーダライタＲＷのアンテナコイルＲＷ１がアンテナコイル１３との相互誘導作用によりＩＣチップ１２に所定のデータを記憶させたり、ＩＣチップ１２から送信された所定のデータを受信したりすることで交信を行う。交信するデータとしては、帯状のシートＲＳの繰り出し速度等の処理に関するデータや種類（商品名）、ロット番号、使用量、残量等のデータが例示できる。
【００１９】
図２（ａ）に示すように、筒状部材ＡＨの開口面側（図２（ａ）中右）にリーダライタＲＷのアンテナコイルＲＷ１が近接配置され、筒状部材ＡＨの内面ＡＨ１に上記データキャリアシートＤＳを貼着する場合、貼付部３を第１の折り曲げ促進部４で折り曲げ、保持部２に保持されたデータキャリア１を貼付部３に対して直交する姿勢とし、貼付部３がその接着剤層ＡＤを介して筒状部材ＡＨの内面ＡＨ１に貼着される。また、図２（ｂ）に示すように、リーダライタＲＷのアンテナコイルＲＷ１が支持軸ＳＡの外周面に設けられているような場合、貼付部３を第１の折り曲げ促進部４で１８０°折り返し、貼付部３がその接着剤層ＡＤを介して筒状部材ＡＨの内面ＡＨ１に貼着される。
【００２０】
本実施形態によると、第１の折り曲げ促進部４を設けて折り曲げ易くした貼付部３をリーダライタＲＷのアンテナコイルＲＷ１の位置や向きに対応させて折り曲げたり、折り返した状態で、貼付部３を筒状部材ＡＨの内面ＡＨ１に貼着するだけで、データキャリア部材１をリーダライタＲＷと交信可能な位置に簡単に配置することができる。
【００２１】
以上、本発明の実施形態について図面を参照して説明したが、本発明はこれに限定されない。上記実施形態では、データキャリア部材１としてＩＣタグを用いたものを例に説明したが、データキャリア部材１は、データ記憶のみができるバーコードやＱＲコード（登録商標）等であってもよいし、着磁と消磁のみによってＯＮ、ＯＦＦデータのみを送信できる磁着体や、磁気のパターンによってデータを読み取って記憶したり、データを送信したりすることのできる磁気シート等であってもよい。データキャリア部材１がバーコードやＱＲコード（登録商標）の場合、リーダライタＲＷに換えてバーコードやＱＲコード（登録商標）を読み取り可能なリーダを使用すればよいし、磁着体や磁気シートの場合、リーダライタＲＷに換えて磁界を発生させて磁性体を磁化してデータを書き込んだり、磁界の変化を検知してデータを読み出したりするいわゆる磁気ヘッドを使用すればよい。また、データキャリア部材１がＩＣタグの場合、共振周波数は、１３．５６ＭＨｚのものに限らず電磁誘導方式で交信を行う１３０〜１３５ｋＨｚのものや、９００ＭＨｚ、２．４５ＧＨｚ等のＵＦＨ帯のものであってもよい。
【００２２】
また、第１の折り曲げ促進部４は、図３（ａ）、（ｂ）に示すように、基材シートＢＳを上下に横断する方向に形成したミシン目４２、または、基材シートＢＳの上下外縁から中央に向かって形成した切り込み４３で構成することもできる。
さらに、追従促進部５は、図３（ｃ）、（ｄ）に示すように、半円形状の切欠き５１、または、三角形状の切欠き５２で構成してもよし、図３（ｂ）に示す切り込み４３を追従促進部５としてもよい。
【００２３】
ところで、例えば、第１の折り曲げ促進部４を図３（ｂ）に示す切り込み４３で構成した場合や、追従促進部５を図３（ｃ）に示す半円形状の切欠き５１で構成した場合、貼付部３の一部のみが局所的に細くなって、当該細くなった箇所で破断する可能性がある。このような場合には、図４に示すように、保持部２が貼付部３から破断することを防止する補強シート部６を設けてもよい。補強シート部６は、例えば、粘着テープや基材シートで構成することができ、貼付部３の両方の面若しくはいずれか一方の面に設けてもよい。
【００２４】
また、上記実施形態では、１つの折り曲げ促進部４を形成したものを例に説明したが、これに限定されるものではなく、図５（ａ）に示すように、貼付部３の所定位置に、当該貼付部３の延出方向と交差する方向に貼付部３の一部を折り曲げ易くする第２の折り曲げ促進部７を形成してもよい。第２の折り曲げ促進部７もまた、第１の折り曲げ促進部４と同様、例えばミシン目や切込み等で構成することができる。これによれば、図５（ｃ）に示すように、貼付部３を第２の折り曲げ促進部７で略Ｌ字状に折り曲げ、更に保持部２を第１の折り曲げ促進部４で折り曲げ、接着剤層ＡＤを介して筒状部材ＡＨの内面ＡＨ１と長手方向の他端の面とに貼着することができる。なお、特に図示して説明しないが、第２の折り曲げ促進部７に補強シート部を設け、保持部２が貼付部３の一部から破断することを防止する構成としてもよい。
【００２５】
更に、図６（ａ）に示すように、貼付部３に第１の折り曲げ促進部４による折り曲げを維持する折り曲げ維持部としての略コ字状の切り込み８を貼付部３に設けてもよい。このような切り込み８を設けることで貼付部３を第１の折り曲げ促進部４で折り曲げた際に、図６（ｂ）に示すように、切り込み８及び切り込み８の端部を結んだ部分で貼付部３を起立させ、筒状部材ＡＨの長手方向の他端の面に当接させることができる。これにより、折り曲げた保持部２が、貼付部３に対して直交する姿勢から水平方向の姿勢に戻ることを抑制することができる。また、この切り込み８により起立させる部分の両面に接着剤層ＡＤを設けてもよい。これによれば、貼付部３を筒状部材ＡＨの内面ＡＨ１と長手方向の他端の面とに貼着することができる。
【００２６】
なお、基材シートＢＳを例えば、金属、樹脂、厚紙等の塑性変形可能な部材で構成するとよい。これにより、第１の折り曲げ促進部４や第２の折り曲げ促進部７で折り曲げた形状を維持することができる。また、被着体は、筒状部材ＡＨに限らず、段ボールケース、樹脂容器、半導体ウエハ、光ディスク、ガラス板、鋼板、樹脂板その他の板状部材のみならず、任意の形態の部材や物品なども対象とすることができ、何ら限定されるものではない。
【００２７】
接着剤層ＡＤは、基材シートＢＳの一方の面全体に設けたものに限らず、接着剤の使用量の低減を目的としてドット状やストライプ状に設けてもよいし、保持部２には設けず貼付部３のみに設けてもよい。さらに、基材シートＢＳの他方の面全体または一部に設けてもよい。
【００２８】
本発明において、基材シートＢＳ、筒状部材ＡＨ等の材料は、使用上不都合がない機能を発揮できる材料であれば任意であり、透明でも不透明であってもよい。    
【００２９】
また、樹脂シート１１は必ずしも設ける必要はない。さらにデータキャリア部材１は基材シートＢＳと接着剤層ＡＤとの間に設けて保持させてもよいし、接着剤層ＡＤとは反対の面に保持させてもよい。また、データキャリア部材１は、接着剤以外にステープラやリベット等で基材シートＢＳに保持させてもよい。
【符号の説明】
【００３０】
ＡＨ…筒状部材（被着体）、ＢＳ…基材シート、ＤＳ…データキャリアシート、ＲＳ…帯状のシート、１…データキャリア部材、２…保持部、３…貼付部、４…第１の折り曲げ促進部、５…追従促進部、６…補強シート部、７…第２の折り曲げ促進部。
【図１】
2013156724.tif 000003
【図２】
2013156724.tif 000004
【図３】
2013156724.tif 000005
【図４】
2013156724.tif 000006
【図５】
2013156724.tif 000007
【図６】
2013156724.tif 000008